(57)【要約】【課題】  省スペース化に対応でき、釦の照明むらが少なく、しかも良好な操作フィーリングが得られる押釦構造を提供することを目的とする。【解決手段】  パネルと基板との間に配置され、基板に設けられたスイッチを押圧操作する押釦構造であって、パネルに設けられた釦孔から釦操作面が突出すると共に、基板に設けられた光源により釦操作面が照明される押釦構造において、底部が釦操作面となる有底筒形状で、釦孔から抜け落ちないようにするためのフランジ部を有する釦部と、フランジ部が搭置される釦受部と、釦部が前記釦孔から突出する方向に付勢されるように釦受部に弾性力を付与する弾性手段と、スイッチを押圧操作するスイッチ押部とを有し、透光性部材により一体形成されたアクチュエータ部とからなり、釦操作面と釦受部とが距離をおいて組み合わされた構造であることを特徴とする。【選択図】  図１
2005116326.tif 000002
【特許請求の範囲】
【請求項１】
パネルと基板との間に配置され、該基板に設けられたスイッチを押圧操作する押釦構造であって、該パネルに設けられた釦孔から釦操作面が突出すると共に、該基板に設けられた光源により該釦操作面が照明される押釦構造において、
底部が前記釦操作面となる有底筒形状で、前記釦孔から抜け落ちないようにするための係合部を有する釦部と、
前記釦部が搭置される釦受部と、前記釦部が前記釦孔から突出する方向に付勢されるように該釦受部に弾性力を付与する弾性手段と、前記スイッチを押圧操作するスイッチ押部とを有し、透光性部材により一体形成されたアクチュエータ部とからなり、
前記釦操作面と前記釦受部とが距離をおいて組み合わされた構造であることを特徴とする押釦構造。
【請求項２】
前記アクチュエータは、導光性樹脂部材により形成されていることを特徴とする請求項１に記載の押釦構造。
【請求項３】
前記釦受部には、前記光源の光を前記釦操作面に集光する凸部が設けられていることを特徴とする請求項２に記載の押釦構造。
【請求項４】
前記弾性手段は前記パネルと前記基板との間に固定される枠体ランナー部と前記釦受部とを連結するヒンジ部により構成され、
前記枠体ランナー部は、複数の釦受部に共通に用いられ、該複数の釦受部を連結することを特徴とする請求項１、請求項２または請求項３に記載の押釦構造。
【発明の詳細な説明】
【技術分野】
【０００１】
本発明は、電子機器などに用いられる押釦構造に係り、詳細には省スペース化に対応でき、釦の照明むらが少なく、しかも良好な操作フィーリングが得られる押釦構造に関する。
【背景技術】
【０００２】
各種の電子機器には様々な押し釦が用いられているが、従来の代表的な押し釦としては、特開平１１−６７０００号に記載された押し釦の概要を図４および図５に転記し、この図面を参照して説明する。
図４は従来の押し釦を示す概略図で、（ａ）は平面図、（ｂ）はＸ矢視図、（ｃ）はＹ矢視図である。図５は従来の押し釦を電子機器の操作パネルに取付けた状態の要部を示す断面拡大図である。
【０００３】
７０は押し釦で、箱状の押し釦本体７１の両端に、各々対称にヒンジ片７２、７３が、押圧方向の面内においてＳ字形状に形成されている。ヒンジ片７２、７３の遊端７４，７５は、押し釦本体側の両側にそれそれ平行して配された固定部７６、７７の一端に一体に連結されている。この固定部７６、７７には溶着孔が形成されている。押し釦本体７１を操作パネル８０の釦挿入孔８５を下方から挿入すると共に、固定部７６、７７の溶着孔を電子機器の操作パネル８０の固定部材（溶着軸）８１、８２に挿通した状態で固定部材８１、８２の先端部８３，８４を溶融させて固定（溶着）する。押し釦本体７１には、押圧面７８の背面より押圧方向に延在し、プリント基板に実装されたスイッチ（いずれも図示省略）を操作するスイッチ操作軸７９が、押し釦本体７１と一体に形成されている。
【０００４】
この出願の発明に関する先行技術文献としては次のものがある。
【特許文献１】特開平１１−６７０００号
【発明の開示】
【発明が解決しようとする課題】
【０００５】
しかし、上述の押し釦７０の構造では、押し釦本体７１の押圧面７８の背面側からスイッチ操作軸７９が形成されているので、押圧面７８に文字や記号などの照明部が形成され、照明部を下方から照明する構造の場合には、照明部にスイッチ操作軸７９の影が映り込み釦の照明むらが発生する場合がある。このような照明むらの対策としては、スイッチ操作軸７９の位置を、押し釦７０の中心から離れた位置にずらして形成する場合がある。しかし、スイッチ操作軸７９の位置が押し釦７０の中心からずれると、押し釦７０を操作時に、押し釦７０に偏荷重が加わり操作フィーリングが悪くなるおそれがある。
【０００６】
本発明は上述の問題を解決するもので、省スペース化に対応でき、釦の照明むらが少なく、しかも良好な操作フィーリングが得られる押釦構造を提供することを目的とする。
【課題を解決するための手段】
【０００７】
上記目的を達成するために、パネルと基板との間に配置され、該基板に設けられたスイッチを押圧操作する押釦構造であって、該パネルに設けられた釦孔から釦操作面が突出すると共に、該基板に設けられた光源により該釦操作面が照明される押釦構造において、底部が前記釦操作面となる有底筒形状で、前記釦孔から抜け落ちないようにするための係合部を有する釦部と、前記釦部が搭置される釦受部と、前記釦部が前記釦孔から突出する方向に付勢されるように該釦受部に弾性力を付与する弾性手段と、前記スイッチを押圧操作するスイッチ押部とを有し、透光性部材により一体形成されたアクチュエータ部とからなり、前記釦操作面と前記釦受部とが距離をおいて組み合わされた構造であることを特徴とするものである。
【０００８】
また、前記アクチュエータは、導光性樹脂部材により形成されていることを特徴とするものである。
【０００９】
また、前記釦受部には、前記光源の光を前記釦操作面に集光する凸部が設けられていることを特徴とするものである。
【００１０】
また、前記弾性手段は前記パネルと前記基板との間に固定される枠体ランナー部と前記釦受部とを連結するヒンジ部により構成され、前記枠体ランナー部は複数の前記釦受部に共通に用いられ、該複数の釦受部を連結することを特徴とするものである。
【発明の効果】
【００１１】
以上説明したように、本発明によれば省スペース化に対応でき、また照明むらが少なく、しかも良好な操作フィーリングが得られる押釦構造を提供することができる。
【発明を実施するための最良の形態】
【００１２】
本発明の押釦構造を電子機器に用いた場合の１事例について図１、図２および図３を用いて説明する。
【００１３】
図１は本発明に係る押釦構造の構成を示す概略図で、（ａ）は平面図、（ｂ）はＡ―Ａ断面図である。図２は本発明の押釦構造のアクチュエータを示す概略図で、（ａ）は平面図、（ｂ）はＢ―Ｂ断面図である。図３は図２のアクチュエータと一部が異なるアクチュエータを示す概略図で、（ａ）は平面図、（ｂ）はＣ―Ｃ断面図、（ｃ）は組付状態の側断面図である。
【００１４】
１０は電子機器などに用いられる押釦構造で、図１で示すように操作パネル２０、釦３０、アクチュエータ４０およびプリント基板５０などにより構成されている。
【００１５】
操作パネル２０は電子機器の前面などの意匠部で、所定の位置に操作用の釦３０が嵌入する釦孔２１が複数箇形成されている。
【００１６】
釦３０は、操作パネル２０の釦孔２１に嵌入するハット形状をしており、釦本体部３１の開口部から外周縁部方向へ延在するフランジ部３２（係合部に相当）が形成されている。釦３０の部材には透光性のある材料、例えば乳白色の樹脂部材が用いられ成形加工により形成した後に、表面を所定の色（例えば黒色）に塗装する。そして、釦操作面（トップ面）にはレーザ加工などにより塗装が除去され、文字や記号などが形成されており、文字や記号は下方に設けられた光源からの光により照明される。
【００１７】
アクチュエータ４０は、釦３０を押圧操作方向に対して弾性的に支持する部品で、釦受部４１、枠体ランナー部４３およびヒンジ部４４、４５などにより構成される。釦受部４１には釦当接面の背面側の略中央部にスイッチを押圧操作するスイッチ押部４２が形成されている。また、釦受部４１は釦当接面と直交する両側面と所定の間隔をおいて平行に枠体ランナー部４３が構成され、枠体ランナー部４３からはそれぞれ1本ずつヒンジ部４４、４５が対称方向に延在し、その遊端部４６は枠体ランナー部４３側の近傍の釦受部４１の側面に、また、遊端部４７はもう一本の枠体ランナー部４３側の近傍の釦受部４１の側面にそれぞれ接続している。アクチュエータ４０の部材には透光性樹脂部材（乳白色または透明の樹脂部材）が用いられ成形加工により形成される。
【００１８】
プリント基板５０には、所定の位置（アクチュエータ４０のスイッチ押部４２に対応する位置）に、シートスイッチ５１（シートスイッチに限らず、その他のスイッチ例えばタクトスイッチなどでも可）が実装されており、その近傍には釦３０を照明するための光源となるＬＥＤ素子５２およびその他の電子部品などが実装されている。
【００１９】
次に、押釦構造の組立ておよび動作について説明する。
【００２０】
先ず、組立てについて説明する。操作パネル２０の裏面より釦孔２１に釦３０を挿入し、挿入した釦３０のフランジ部の図示下面にアクチュエータ４０の釦受部４１が当接するように配設する。次に、アクチュエータ４０のスイッチ押部４２の位置とプリント基板５０に実装されたシートスイッチ５１の位置とが一致するように位置決め固定する。この状態で操作パネル２０の裏面とプリント基板５０の表面とでアクチュエータ４０の枠体ランナー部４３が挟み込まれて固定される。尚、釦３０はアクチュエータ４０の釦受部４１に接続された２本のヒンジ部４４、４５により弾性的に支持されているので挿入方向に動作する。
【００２１】
次に、動作について説明する。操作パネル２０の釦孔２１に挿入された釦３０を操作（押す）すると、釦３０はアクチュエータ４０の２本のヒンジ部４４、４５を押圧方向に撓ませながら進む。そして、所定の位置（釦３０のフランジ部３２とアクチュエータ４０の枠体ランナー部４３とが当接して位置決めできるように、ストッパー部を形成している。図示省略）まで進むと、アクチュエータ４０のスイッチ押部４２の先端が、プリント基板５０に設けられたシートスイッチ５１を押圧してＯＮ、ＯＦＦ動作が行われる。その後、釦３０の押圧状態が解除されると、ヒンジ部４４、４５の弾性力（撓みにより発生する反発力）により釦３０は押す前の元の状態に復帰する。
【００２２】
以上のように、本実施に係る押釦構造１０によれば、釦３０とアクチュエータ４０とが分割され、アクチュエータ４０にスイッチ押部４２を設けることにより、スイッチ押部４２の長さが短くなり、釦３０の照明部にスイッチ押部４２の影の映り込みをなくすことができる。したがって、スイッチ押部４２を釦３０の中央部（押圧部の中心）になるように設けることができるので、釦３０の操作時に釦３０に偏荷重が加わるのを防止することができる。その結果、良好な操作フィーリングを得ることができる。また、アクチュエータ４０の部材に導光性樹脂部材を用いることにより導光板の役割をなし、釦３０の照明が間接照明となるので、照明むらを少なくすることができる。
【００２３】
その他に、押釦構造１０が複数箇並んだ意匠の場合には、アクチュエータ４０の枠体ランナー４３にアクチュエータ４０が複数箇接続して一体形成されるので、省スペース化に対応できる。また、釦３０とアクチュエータ４０とが分割されているので、アクチュエータ４０と組み合わされる複数箇の釦３０の色を、それぞれ異なった所望する色に変えることが容易となる。したがって、釦３０の色の組み合わせにより意匠の選択範囲がさらに広がる。
【００２４】
その他に、図３で示すアクチュエータ５５のように、アクチュエータ４０のスイッチ押部４２の背面側の適切な位置に、釦３０の裏側から照明する略半円球形状に形成された導光凸部５６を設けることにより、文字などの表示位置に集光することができるので、照明効率がさらに向上する。この場合アクチュエータ５５は導光性材料（透明の樹脂部材）とし、また必要に応じて（導光凸部を除いて）釦３０の側表面に微細な凹凸を設けたり、半透明の塗装を施すなどして光を拡散するようにするのが好ましい。尚、導光凸部は半円球形状には限定されず、釦の形状や照明部位などの状態により適切な形状に形成することが望ましい。
【図面の簡単な説明】
【００２５】
【図１】本発明に係る押釦構造の構成を示す概略図である。
【図２】本発明の押釦構造のアクチュエータを示す概略図である。
【図３】図２のアクチュエータと一部が異なるアクチュエータを示す概略図である。
【図４】従来の押し釦を示す概略図である。
【図５】従来の押し釦を電子機器の操作パネルに取付けた状態の要部を示す断面拡大図である。
【符号の説明】
【００２６】
１０・・・押釦構造
２０・・・操作パネル
２１・・・釦孔
３０・・・釦
３１・・・釦本体部
３２・・・フランジ部
４０、５５・・・アクチュエータ
４１・・・釦受部
４２・・・スイッチ押部
４３・・・枠体ランナー部
４４、４５・・・ヒンジ部
４６、４７・・・遊端部
５０・・・プリント基板
５１・・・シートスイッチ
５２・・・ＬＥＤ素子
５６・・・導光板
【図１】
2005116326.tif 000003
【図２】
2005116326.tif 000004
【図３】
2005116326.tif 000005
【図４】
2005116326.tif 000006
【図５】
2005116326.tif 000007